(57)【要約】ＸＨＴＭＬデータの生成方法及び装置を提供する。ＸＨＴＭＬデータを印刷可能なプリンティング装置とネットワーク上に連結された端末機とで行われる本発明によるＸＨＴＭＬデータの生成方法は、印刷しようとする一つ以上の定型データごとに、前記定型データの内容のうち、印刷する内容を決定する印刷関連設定事項の設定と、予め設けられたＸＨＴＭＬ基本データに挿入可能なＸＨＴＭＬ拡張データを前記設定された内容に相応した生成と、生成された前記ＸＨＴＭＬ拡張データを前記ＸＨＴＭＬ基本データに挿入することによる前記ＸＨＴＭＬデータの生成と、を含むことが望ましい。【選択図】図１
2009533746.tif 000002
【特許請求の範囲】
【請求項１】
印刷しようとする一つ以上の定型データのそれぞれに対する、前記定型データに対する印刷関連オプションの設定と、
設定された前記印刷関連オプションによって、ＸＨＴＭＬ基本データに追加されるＸＨＴＭＬ拡張データの生成と、
前記ＸＨＴＭＬ拡張データを前記ＸＨＴＭＬ基本データに追加することによるＸＨＴＭＬ印刷データの生成と、
を含むＸＨＴＭＬ（Ｅｘｔｅｎｓｉｂｌｅ  ＨｙｐｅｒＴｅｘｔ  Ｍａｒｋｕｐ  Ｌａｎｇｕａｇｅ）データの生成方法。
【請求項２】
前記印刷関連オプションの設定は、予め設けられた一つ以上の前記定型データからの印刷しようとする一つ以上の前記定型データの選択を含む請求項１に記載のＸＨＴＭＬデータの生成方法。
【請求項３】
前記印刷関連オプションの設定は、選択された前記定型データの内容の要素別の区分と、該区分された前記定型データの内容からの印刷しようとする前記定型データの内容の選択をさらに含む請求項２に記載のＸＨＴＭＬデータの生成方法。
【請求項４】
前記選択された定型データの要素のうち、ＸＨＴＭＬ印刷データとして生成されない要素の内容は選択不可能である請求項３に記載のＸＨＴＭＬデータの生成方法。
【請求項５】
前記印刷関連オプションの設定は、前記選択された一つ以上の定型データのそれぞれからの一つ以上の内容の抽出と、前記抽出された一つ以上の内容からの印刷しようとする内容の選択と、をさらに含む請求項２に記載のＸＨＴＭＬデータの生成方法。
【請求項６】
前記印刷関連オプションの設定は、前記抽出された一つ以上の内容の、メッセージの内容ではないコンテンツであるヘッダコンテンツとメッセージの内容であるメッセージコンテンツとへの区分をさらに含む請求項５に記載のＸＨＴＭＬデータの生成方法。
【請求項７】
前記印刷関連オプションの設定は、前記印刷しようとする一つ以上の定型データのそれぞれに、前記定型データの内容からの印刷しようとする内容の選択を含む請求項１に記載のＸＨＴＭＬデータの生成方法。
【請求項８】
前記印刷関連オプションの設定は、印刷セッティングの設定を含む請求項１に記載のＸＨＴＭＬデータの生成方法。
【請求項９】
前記印刷セッティングの設定は、印刷しようとする一つ以上の前記定型データが印刷される印刷用紙のサイズの指定を含む請求項８に記載のＸＨＴＭＬデータの生成方法。
【請求項１０】
前記印刷関連オプションの設定は、前記印刷しようとする定型データの一つ以上の内容の要素による区分と、該区分された内容のからの印刷しようとする内容の選択を含む請求項１に記載のＸＨＴＭＬデータの生成方法。
【請求項１１】
前記要素は、発信者、受信者、メッセージ内容、受信時刻、重要度、保安要求程度、累積された返信回数を含む請求項１０に記載のＸＨＴＭＬデータの生成方法。
【請求項１２】
前記区分された内容のうち、前記ＸＨＴＭＬ印刷データとして生成されない要素に該当する内容は、選択不可能である請求項１０に記載のＸＨＴＭＬデータの生成方法。
【請求項１３】
前記生成されたＸＨＴＭＬ印刷データを画像形成装置に出力する請求項１に記載のＸＨＴＭＬデータの生成方法。
【請求項１４】
前記定型データは、ＳＭＳ（Ｓｈｏｒｔ  Ｍｅｓｓａｇｅ  Ｓｅｒｖｉｃｅ）データ、ＭＭＳ（Ｍｕｌｔｉｍｅｄｉａ  Ｍｅｓｓａｇｉｎｇ  Ｓｅｒｖｉｃｅ）データ、電子メールデータのうち一つである請求項１に記載のＸＨＴＭＬデータの生成方法。
【請求項１５】
印刷しようとする一つ以上の定型データのそれぞれに、前記定型データに対する印刷関連オプションを設定するＸＨＴＭＬデータ設定部と、
ＸＨＴＭＬ基本データを保存するＸＨＴＭＬ基本データ保存部と、
前記設定された印刷関連オプションによって、前記ＸＨＴＭＬ基本データに追加可能なＸＨＴＭＬ拡張データを生成するＸＨＴＭＬ拡張データ生成部と、
保存された前記ＸＨＴＭＬ基本データを読み取り、生成された前記ＸＨＴＭＬ拡張データを読み取られた前記ＸＨＴＭＬ基本データに挿入して、前記ＸＨＴＭＬ印刷データを生成するＸＨＴＭＬデータ生成部と、
を備えるＸＨＴＭＬデータ生成装置。
【請求項１６】
前記ＸＨＴＭＬデータ設定部は、予め設けられた一つ以上の前記定型データのうち、印刷しようとする一つ以上の前記定型データを選択する定型データ選択部を備える請求項１５に記載のＸＨＴＭＬデータ生成装置。
【請求項１７】
前記ＸＨＴＭＬデータ設定部は、前記選択された定型データの内容を要素別に区分し、該区分された内容のうち、印刷しようとする内容を選択する要素選択部をさらに備える請求項１６に記載のＸＨＴＭＬデータ生成装置。
【請求項１８】
前記選択された定型データの要素のうち、ＸＨＴＭＬ印刷データとして生成されない要素の内容は、選択不可能である請求項１７に記載のＸＨＴＭＬデータ生成装置。
【請求項１９】
前記ＸＨＴＭＬデータ設定部は、
前記選択された一つ以上の定型データのそれぞれから一つ以上の内容を抽出する要素抽出部と、
前記抽出された一つ以上の内容のうち、印刷しようとする内容を選択する要素選択部と、
をさらに備える請求項１６に記載のＸＨＴＭＬデータ生成装置。
【請求項２０】
前記要素選択部は、前記抽出された一つ以上の内容を、メッセージの内容ではないコンテンツであるヘッダコンテンツとメッセージの内容であるメッセージコンテンツとに区分する請求項１９に記載のＸＨＴＭＬデータ生成装置。
【請求項２１】
前記ＸＨＴＭＬデータ設定部は、
前記印刷しようとする一つ以上の定型データのそれぞれに、前記定型データの内容のうち、印刷しようとする内容を選択する要素選択部を備える請求項１５に記載のＸＨＴＭＬデータ生成装置。
【請求項２２】
前記ＸＨＴＭＬデータ設定部は、印刷セッティングを設定する請求項１５に記載のＸＨＴＭＬデータ生成装置。
【請求項２３】
前記ＸＨＴＭＬデータ設定部は、印刷しようとする一つ以上の前記定型データが印刷される印刷用紙のサイズを指定する用紙サイズ指定部をさらに備える請求項２２に記載のＸＨＴＭＬデータ生成装置。
【請求項２４】
前記ＸＨＴＭＬデータ設定部は、前記印刷しようとする定型データの一つ以上の内容を要素によって区分し、該区分された内容のうち、印刷しようとする内容を選択する要素選択部を備える請求項１５に記載のＸＨＴＭＬデータ生成装置。
【請求項２５】
前記要素は、発信者、受信者、メッセージ内容、受信時刻、重要度、保安要求程度、累積された返信回数を含む請求項２４に記載のＸＨＴＭＬデータ生成装置。
【請求項２６】
前記区分された内容のうち、前記ＸＨＴＭＬ印刷データとして生成されない要素に該当する内容は、選択不可能である請求項２４に記載のＸＨＴＭＬデータ生成装置。
【請求項２７】
前記定型データは、ＳＭＳデータ、ＭＭＳデータ、電子メールデータのうち一つである請求項１５に記載のＸＨＴＭＬデータ生成装置。
【請求項２８】
前記ＸＨＴＭＬデータ生成装置は、携帯電話、デジタルカメラ、ＰＤＡ（Ｐｅｒｓｏｎａｌ  Ｄｉｇｉｔａｌ  Ａｓｓｉｔａｎｔ）のうちのいずれか一つである請求項１５に記載のＸＨＴＭＬデータ生成装置。
【請求項２９】
一つ以上の定型データのそれぞれの一つ以上の内容のうち、印刷しようとする内容を決定するための印刷関連オプションの設定と、
前記設定された印刷関連オプションによるＸＨＴＭＬ印刷データの生成と、
を含むＸＨＴＭＬデータの生成方法。
【請求項３０】
前記ＸＨＴＭＬ印刷データの生成は、
前記設定された印刷関連オプションによるＸＨＴＭＬ拡張データの生成と、
前記生成されたＸＨＴＭＬ拡張データをＸＨＴＭＬ基本データに挿入することによる前記ＸＨＴＭＬ印刷データの生成と、
を含む請求項２９に記載のＸＨＴＭＬデータの生成方法。
【請求項３１】
前記印刷関連オプションの設定は、一つ以上の既設定の定型データからの前記一つ以上の定型データの選択である請求項２９に記載のＸＨＴＭＬデータの生成方法。
【請求項３２】
前記印刷関連オプションの設定は、
前記選択された一つ以上の定型データのそれぞれからの前記一つ以上の内容の抽出と、
前記抽出された一つ以上の内容からの印刷しようとする内容の選択と、
を含む請求項３１に記載のＸＨＴＭＬデータの生成方法。
【請求項３３】
前記印刷関連オプションの設定は、前記一つ以上の内容からの印刷しようとする内容の選択を含む請求項２９に記載のＸＨＴＭＬデータの生成方法。
【請求項３４】
前記印刷関連オプションの設定は、印刷セッティングの設定を含む請求項２９に記載のＸＨＴＭＬデータの生成方法。
【請求項３５】
前記印刷関連オプションの設定は、前記印刷しようとする内容が印刷される印刷用紙のサイズの指定を含む請求項３４に記載のＸＨＴＭＬデータの生成方法。
【請求項３６】
前記印刷関連オプションの設定は、前記一つ以上の定型データの前記一つ以上の内容の要素による区分と、該区分された内容からの印刷しようとする内容の選択と、を含む請求項２９に記載のＸＨＴＭＬデータの生成方法。
【請求項３７】
前記印刷関連オプションの設定は、前記要素のうちＸＨＴＭＬ印刷データとして生成されない要素の内容は選択できない請求項３６に記載のＸＨＴＭＬデータの生成方法。
【請求項３８】
一つ以上の定型データのそれぞれの一つ以上の内容のうち、印刷しようとする内容を決定するための印刷関連オプションを設定するＸＨＴＭＬデータ設定部と、
前記設定された印刷関連オプションによって、ＸＨＴＭＬ拡張データを生成するＸＨＴＭＬ拡張データ生成部と、
を備えるＸＨＴＭＬデータ生成装置。
【請求項３９】
ＸＨＴＭＬ基本データを保存するＸＨＴＭＬ基本データ保存部と、
前記保存されたＸＨＴＭＬ基本データを読み取り、該読み取られたＸＨＴＭＬ基本データに前記生成されたＸＨＴＭＬ拡張データを挿入することによって、ＸＨＴＭＬ印刷データを生成するＸＨＴＭＬデータ生成部と、
をさらに備える請求項３８に記載のＸＨＴＭＬデータ生成装置。
【請求項４０】
前記ＸＨＴＭＬデータ設定部は、一つ以上の既設定の定型データのうち、前記一つ以上の定型データを選択する定型データ選択部を備える請求項３８に記載のＸＨＴＭＬデータ生成装置。
【請求項４１】
前記ＸＨＴＭＬデータ設定部は、
前記選択された一つ以上の定型データのそれぞれから前記一つ以上の内容を抽出する要素抽出部と、
前記抽出された一つ以上の内容のうち、印刷しようとする内容を選択する要素選択部と、
をさらに備える請求項４０に記載のＸＨＴＭＬデータ生成装置。
【請求項４２】
前記ＸＨＴＭＬデータ設定部は、前記一つ以上の内容のうち、印刷しようとする内容を選択する要素選択部を備える請求項３８に記載のＸＨＴＭＬデータ生成装置。
【請求項４３】
前記ＸＨＴＭＬデータ設定部は、印刷セッティングを設定する請求項３８に記載のＸＨＴＭＬデータ生成装置。
【請求項４４】
前記ＸＨＴＭＬデータ設定部は、前記印刷しようとする内容が印刷される印刷用紙のサイズを指定する用紙サイズ指定部をさらに備える請求項４３に記載のＸＨＴＭＬデータ生成装置。
【請求項４５】
前記ＸＨＴＭＬデータ設定部は、前記一つ以上の定型データの前記一つ以上の内容を要素によって区分し、該区分された内容のうち、印刷しようとする内容を選択する要素選択部を備える請求項３８に記載のＸＨＴＭＬデータ生成装置。
【請求項４６】
前記ＸＨＴＭＬデータ設定部は、前記要素のうちＸＨＴＭＬ印刷データとして生成されない要素の内容は選択できない請求項４５に記載のＸＨＴＭＬデータ生成装置。
【請求項４７】
請求項１に記載の方法をコンピュータで実行させるためのコンピュータプログラムを保存したコンピュータで読み取り可能な記録媒体。
【請求項４８】
請求項２９に記載の方法をコンピュータで実行させるためのコンピュータプログラムを保存したコンピュータで読み取り可能な記録媒体。
【発明の詳細な説明】
【技術分野】
【０００１】
本発明は、拡張性ハイパーテキスト生成言語（ＸＨＴＭＬ：ｅＸｔｅｎｓｉｂｌｅＨｙｐｅｒ  Ｔｅｘｔ  Ｍａｒｋｕｐ  Ｌａｎｇｕａｇｅ）−Ｐｒｉｎｔで記述された印刷データであるＸＨＴＭＬ−Ｐｒｉｎｔ印刷データに係り、さらに詳細には、ユーザによって設定される内容に相応してＸＨＴＭＬ−Ｐｒｉｎｔ拡張データを生成し、該生成されたＸＨＴＭＬ−Ｐｒｉｎｔ拡張データを予め設けられたＸＨＴＭＬ−Ｐｒｉｎｔ基本データに挿入することによって、ＸＨＴＭＬ−Ｐｒｉｎｔ印刷データをユーザの意図に適応的に生成するＸＨＴＭＬ−Ｐｒｉｎｔ印刷データの生成方法及び装置に関する。
【背景技術】
【０００２】
端末機に保存された定型化された多様なデータを印刷するためのＸＨＴＭＬ−Ｐｒｉｎｔ印刷データを生成する方案が要求されている。
【発明の開示】
【発明が解決しようとする課題】
【０００３】
本発明がなそうとする技術的課題は、印刷しようとする定型データの内容に相応するＸＨＴＭＬ−Ｐｒｉｎｔ拡張データを生成し、該生成されたＸＨＴＭＬ−Ｐｒｉｎｔ拡張データを予め設けられたＸＨＴＭＬ−Ｐｒｉｎｔ基本データに挿入することによって、ＸＨＴＭＬ−Ｐｒｉｎｔ印刷データを生成するＸＨＴＭＬ−Ｐｒｉｎｔ印刷データの生成方法を提供することである。
【０００４】
本発明が解決しようとする他の技術的課題は、前記ＸＨＴＭＬ−Ｐｒｉｎｔ印刷データの生成方法を行うＸＨＴＭＬ−Ｐｒｉｎｔ印刷データ生成装置を提供することである。
本発明が解決しようとするさらに他の技術的課題は、前記ＸＨＴＭＬ−Ｐｒｉｎｔ印刷データの生成方法を行うコンピュータプログラムを保存するコンピュータで読み取り可能な記録媒体を提供することである。
【課題を解決するための手段】
【０００５】
前記課題を達成するために、ＸＨＴＭＬ−Ｐｒｉｎｔ印刷データを印刷可能なプリンティング装置とネットワーク上に連結した端末機とで行われる本発明によるＸＨＴＭＬ−Ｐｒｉｎｔ印刷データの生成方法は、印刷しようとする一つ以上の定型データのそれぞれに、前記定型データの内容からの印刷する内容を決定する印刷関連オプションの設定と、予め設けられたＸＨＴＭＬ−Ｐｒｉｎｔ基本データに挿入可能なＸＨＴＭＬ−Ｐｒｉｎｔ拡張データの前記設定された内容に応じた生成と、生成された前記ＸＨＴＭＬ−Ｐｒｉｎｔ拡張データを前記ＸＨＴＭＬ−Ｐｒｉｎｔ基本データに挿入することによる前記ＸＨＴＭＬ−Ｐｒｉｎｔ印刷データの生成と、を含むことが望ましい。
【０００６】
前記他の課題を達成するために、前記ＸＨＴＭＬ−Ｐｒｉｎｔ印刷データの生成方法を行う本発明によるＸＨＴＭＬ−Ｐｒｉｎｔ印刷データ生成装置は、印刷しようとする一つ以上の定型データのそれぞれに、前記定型データの内容のうち、印刷する内容を決定する印刷関連オプションを設定するＸＨＴＭＬ−Ｐｒｉｎｔ印刷データ設定部と、前記ＸＨＴＭＬ−Ｐｒｉｎｔ印刷データに固定的に含まれるＸＨＴＭＬ−Ｐｒｉｎｔ基本データを保存するＸＨＴＭＬ−Ｐｒｉｎｔ基本データ保存部と、前記ＸＨＴＭＬ−Ｐｒｉｎｔ基本データに挿入可能なＸＨＴＭＬ−Ｐｒｉｎｔ拡張データを前記設定された内容に相応して生成するＸＨＴＭＬ−Ｐｒｉｎｔ拡張データ生成部と、保存された前記ＸＨＴＭＬ−Ｐｒｉｎｔ基本データを読み取り、生成された前記ＸＨＴＭＬ−Ｐｒｉｎｔ拡張データを読み取られた前記ＸＨＴＭＬ−Ｐｒｉｎｔ基本データに挿入して前記ＸＨＴＭＬ−Ｐｒｉｎｔ印刷データを生成するＸＨＴＭＬ−Ｐｒｉｎｔ印刷データ生成部と、を備えることが望ましい。
【０００７】
前記さらに他の課題を達成するために、ＸＨＴＭＬ−Ｐｒｉｎｔ印刷データを印刷可能なプリンティング装置とネットワーク上に連結した端末機とで行われるコンピュータプログラムを保存する本発明によるコンピュータで読み取り可能な記録媒体は、印刷しようとする一つ以上の定型データのそれぞれに、前記定型データの内容のうち、印刷する内容を決定する印刷関連オプションの設定と、予め設けられたＸＨＴＭＬ−Ｐｒｉｎｔ基本データに挿入可能なＸＨＴＭＬ−Ｐｒｉｎｔ拡張データを前記設定された内容に相応した生成と、生成された前記ＸＨＴＭＬ−Ｐｒｉｎｔ拡張データを前記ＸＨＴＭＬ−Ｐｒｉｎｔ基本データに挿入することによる、前記ＸＨＴＭＬ−Ｐｒｉｎｔ印刷データの生成と、を行うことが望ましい。
【発明の効果】
【０００８】
本発明によるＸＨＴＭＬ−Ｐｒｉｎｔ印刷データの生成方法及び装置は、印刷しようとする定型データの内容に相応するＸＨＴＭＬ−Ｐｒｉｎｔ拡張データを生成し、該生成されたＸＨＴＭＬ−Ｐｒｉｎｔ拡張データを予め設けられたＸＨＴＭＬ−Ｐｒｉｎｔ基本データに挿入することによって、ＸＨＴＭＬ−Ｐｒｉｎｔ印刷データを生成するので、端末機に保存されたその印刷しようとするデータがテキストを有するデータであっても、その印刷しようとするデータが定型データであれば、ＸＨＴＭＬ−Ｐｒｉｎｔ印刷データを生成しうる。したがって、本発明によるＸＨＴＭＬ−Ｐｒｉｎｔ印刷データの生成方法が行われる端末機は、パソコン（ＰＣ：Ｐｅｒｓｏｎａｌ  Ｃｏｍｐｕｔｅｒ）とは異なり、十分なリソースを有さないとしても、その端末機に保存されたＳＭＳ（Ｓｈｏｒｔ  Ｍｅｓｓａｇｅ  Ｓｅｒｖｉｃｅ）データ、ＭＭＳ（Ｍｕｌｔｉｍｅｄｉａ  Ｍｅｓｓａｇｉｎｇ  Ｓｅｒｖｉｃｅ）データ、電子メールデータなどの印刷のためのＸＨＴＭＬ−Ｐｒｉｎｔ印刷データを生成しうる。
【発明を実施するための最良の形態】
【０００９】
本発明と本発明の動作上の利点及び本発明の実施によって達成される目的を十分に理解するためには、本発明の望ましい実施例を例示する添付図面及びその添付図面を説明する内容を参照せねばならない。以下、本発明によるＸＨＴＭＬ−Ｐｒｉｎｔ印刷データの生成方法及び装置を、添付した図面を参照して、次のように説明する。
【００１０】
図１は、本発明によるＸＨＴＭＬ−Ｐｒｉｎｔ印刷データ生成装置を説明するためのブロック図であって、ＸＨＴＭＬ−Ｐｒｉｎｔ印刷データ設定部１１０、ＸＨＴＭＬ−Ｐｒｉｎｔ拡張データ生成部１３０、ＸＨＴＭＬ−Ｐｒｉｎｔ基本データ保存部１４０、及びＸＨＴＭＬ−Ｐｒｉｎｔ印刷データ生成部１５０を備える。
【００１１】
本明細書上で、ＸＨＴＭＬ−Ｐｒｉｎｔ基本データ、ＸＨＴＭＬ−Ｐｒｉｎｔ拡張データ、ＸＨＴＭＬ−Ｐｒｉｎｔ印刷データは、何れもＸＨＴＭＬ−Ｐｒｉｎｔデータであり、本明細書上で、ＸＨＴＭＬ−ＰｒｉｎｔデータがＸＨＴＭＬ以外のマークアップ言語で記述されたデータとして適用されることもあるというのは、当業者ならば分かるであろう。
【００１２】
ＸＨＴＭＬ−Ｐｒｉｎｔ印刷データ設定部１１０、ＸＨＴＭＬ−Ｐｒｉｎｔ拡張データ生成部１３０、ＸＨＴＭＬ−Ｐｒｉｎｔ基本データ保存部１４０、及びＸＨＴＭＬ−Ｐｒｉｎｔ印刷データ生成部１５０は、いずれも端末機に含まれ、その端末機には、画像形成装置が有線または無線で連結されている。一方、その端末機は、ネットワークサーバのようなデータストレージに連結されることもあり、そのＸＨＴＭＬ−ＰｒｉｎｔデータをＣＤ（Ｃｏｍｐａｃｔ  Ｄｉｓｋ）、ディスク、ＤＶＤ（Ｄｉｇｉｔａｌ  Ｖｅｒｓａｔｉｌｅ  Ｄｉｓｋ）、フラッシュメモリ、ＳＤカードのような記録媒体に保存しうる。その画像形成装置は、ＸＨＴＭＬ−Ｐｒｉｎｔで記述された印刷データ、すなわち、ＸＨＴＭＬ−Ｐｒｉｎｔ印刷データを印刷しうる。携帯電話、デジタルカメラ、ＰＤＡ（Ｐｅｒｓｏｎａｌ  Ｄｉｇｉｔａｌ  Ａｓｓｉｓｔａｎｔ）は、そのような端末機の一例である。また、プリンタ、印刷機能を有する複合機（ＭＦＰ：Ｍｕｌｔｉ  Ｆｕｎｃｔｉｏｎ  Ｐｅｒｉｐｈｅｒａｌ）は、そのような画像形成装置の一例である。
【００１３】
端末機に保存されたデータのうち印刷しようとするデータは、定型化された内容を有するデータ（以下、定型データという）であることが望ましい。すなわち、定型データとは、内容が定型化された要素別に区分されるデータを意味する。したがって、同種の定型データ間には、共通する要素が存在する。
【００１４】
ＳＭＳ（Ｓｈｏｒｔ  Ｍｅｓｓａｇｅ  Ｓｅｒｖｉｃｅ）データ、ＭＭＳ（Ｍｕｌｔｉｍｅｄｉａ  Ｍｅｓｓａｇｉｎｇ  Ｓｅｒｖｉｃｅ）データ、電子メール（電子メール）データは、そのような定型データの一例である。例えば、ＳＭＳデータの場合、発信者（Ｆｒｏｍ）に該当するデータ、受信者（Ｔｏ）に該当するデータ、メッセージ内容（Ｍｅｓｓａｇｅ）に該当するデータ、受信時刻（Ｔｉｍｅ）に該当するデータ、重要度（Ｐｒｉｏｒｉｔｙ  Ｌｅｖｅｌ）に該当するデータ、保安要求程度（Ｐｒｉｖａｃｙ  Ｌｅｖｅｌ）に該当するデータ、累積された返信回数（Ｎｕｍｂｅｒ  ｆｏｒ  Ｒｅｐｌｙ）に該当するデータからなりうる。このとき、発信者、受信者、メッセージ内容、受信時刻、重要度、保安要求程度、累積された返信回数は、ＳＭＳデータの定型化された要素である。
【００１５】
ＸＨＴＭＬ−Ｐｒｉｎｔ印刷データ設定部１１０は、印刷しようとする一つ以上の定型データごとに、その定型データの内容のうち印刷する内容を決定する印刷関連オプションを設定する。ＸＨＴＭＬ−Ｐｒｉｎｔ印刷データをどのサイズの印刷用紙に印刷するか、何れか一つ以上の定型データを印刷するか、印刷しようとする定型データのうちいかなる要素のデータを印刷するかは、そのような印刷関連オプションの一例となりうる。
【００１６】
ＸＨＴＭＬ−Ｐｒｉｎｔ印刷データ設定部１１０は、用紙サイズ情報保存部１１２、用紙サイズ指定部１１４、ユーザインターフェース部１１６、定型データ保存部１１８、定型データ選択部１２０、要素抽出部１２２、及び要素選択部１２４を備える。
【００１７】
用紙サイズ情報保存部１１２は、用紙サイズ情報を保存する。ここで、用紙サイズ情報とは、ＸＨＴＭＬ−Ｐｒｉｎｔ印刷データが印刷される印刷用紙の可能なサイズに関する情報を意味する。一方、本明細書で、印刷用紙は、用紙自体に限定されず、例えば透明なもののように、印刷の可能な類型媒体であれば、いかなる媒体も‘印刷用紙’となりうる。
【００１８】
用紙サイズ指定部１１４は、用紙サイズ情報保存部１１２に保存された用紙サイズ情報の表示をユーザインターフェース部１１６に指示する。この場合、ユーザインターフェース部１１６は、その保存された用紙サイズ情報を表示する。これにより、ユーザは、ＸＨＴＭＬ−Ｐｒｉｎｔ印刷データが印刷される印刷用紙の可能なサイズにいかなるサイズがあるかを認知しうる。
【００１９】
次いで、ユーザは、ユーザインターフェース部１１６を通じて自身が所望するサイズを指定することもでき、端末機に備えられたキーを操作して指定することもできる。これにより、用紙サイズ指定部１１４は、ユーザが指定したサイズに関する情報を、その保存された用紙サイズ情報中で指定する。また、用紙サイズ指定部１１４は、その指定されたサイズに関する情報を、その保存された用紙サイズ情報で読み取り、該読み取られたその指定されたサイズに関する情報を、後述するＸＨＴＭＬ−Ｐｒｉｎｔ拡張データ生成部１３０に出力する。
【００２０】
定型データ保存部１１８は、一つ以上の定型データを保存する。ユーザインターフェース部１１６は、定型データ選択部１２０の指示を受けて、その保存された定型データを表示する。これにより、ユーザは、端末機にいかなる定型データが保存されているかを認知しうる。次いで、ユーザは、自身が印刷しようとする一つ以上の定型データを、ユーザインターフェース部１１６を通じて選択することもでき、端末機に備えられたキーを操作して選択することもできる。これにより、定型データ選択部１２０は、印刷しようとする一つ以上の定型データを、その保存された定型データとして選択しうる。一方、定型データ選択部１２０は、その選択された定型データを後述するＸＨＴＭＬ−Ｐｒｉｎｔ拡張データ生成部１３０に出力する。
【００２１】
要素抽出部１２２は、その選択された定型データのそれぞれの要素を分析する。これにより、要素抽出部１２２は、その選択された定型データに現れた一つ以上の要素を抽出し、該抽出された要素の表示をユーザインターフェース部１１６に指示する。この場合、ユーザインターフェース部１１６は、その抽出された要素を表示する。また、要素抽出部１２２は、その選択された定型データをその抽出された要素別に区分し、その区分されたデータをその抽出された要素に適合させる。
【００２２】
要素選択部１２４は、その表示された要素のうち、ユーザが印刷しようとする一つ以上の要素を選択する。このために、要素選択部１２４は、ユーザインターフェース部１１６を通じて、その印刷しようとする要素の選択を要求するウィンドウを表示する。次いで、ユーザは、その印刷しようとする要素を、ユーザインターフェース部１１６を通じて選択することもでき、端末機に備えられたキーを操作して選択することもできる。これにより、要素選択部１２４は、その印刷しようとする要素を選択する。
【００２３】
このように要素が選択されれば、要素選択部１２４は、その選択された要素にマッチングされたその区分されたデータ及びその選択された要素を、後述するＸＨＴＭＬ−Ｐｒｉｎｔ拡張データ生成部１３０に認知させる。
【００２４】
ＸＨＴＭＬ−Ｐｒｉｎｔ拡張データ生成部１３０は、用紙サイズ指定部１１４が指定した用紙サイズ、定型データ選択部１２０が選択した一つ以上の定型データ、要素抽出部１２２が抽出した一つ以上の要素及びその要素に対応したその区分されたデータ、要素選択部１２４が選択した一つ以上の要素を利用して、ＸＨＴＭＬ−Ｐｒｉｎｔ拡張データを生成する。
【００２５】
ＸＨＴＭＬ−Ｐｒｉｎｔ基本データ保存部１４０は、ＸＨＴＭＬ−Ｐｒｉｎｔ印刷データに含まれるデータであるＸＨＴＭＬ−Ｐｒｉｎｔ基本データを保存する。ＸＨＴＭＬ−Ｐｒｉｎｔ拡張データ生成部１３０で生成されたＸＨＴＭＬ−Ｐｒｉｎｔ拡張データは、ＸＨＴＭＬ−Ｐｒｉｎｔ基本データに挿入可能である。
【００２６】
ＸＨＴＭＬ−Ｐｒｉｎｔ印刷データ生成部１５０は、ＸＨＴＭＬ−Ｐｒｉｎｔ基本データ保存部１４０に保存されたＸＨＴＭＬ−Ｐｒｉｎｔ基本データを読み取り、その生成されたＸＨＴＭＬ−Ｐｒｉｎｔ拡張データを、その読み取られたＸＨＴＭＬ−Ｐｒｉｎｔ基本データに挿入して、ＸＨＴＭＬ−Ｐｒｉｎｔ印刷データを生成する。
【００２７】
図２Ａ〜図２Ｈは、定型データがＳＭＳデータである場合の本発明の実施形態によるＸＨＴＭＬ−Ｐｒｉｎｔ印刷データ生成原理を説明するための参照図である。
【００２８】
ユーザインターフェース部１１６は、用紙サイズ指定部１１４の指示を受けて、図２Ａに示したようなウィンドウを表示する。図２Ａに示したところによれば、ＸＨＴＭＬ−Ｐｒｉｎｔ印刷データは、４＊６ｉｎｃｈ（Ｐｏｒｔｒａｉｔ）サイズの印刷用紙に印刷されることもあり、６＊４ｉｎｃｈ（Ｌａｎｄｓｃａｐｅ）サイズの印刷用紙に印刷されることもあり、Ａ４  Ｐｏｒｔｒａｉｔサイズの印刷用紙に印刷されることもあり、Ａ４  Ｌａｎｄｓｃａｐｅサイズの印刷用紙に印刷されることもあり、Ｌｅｔｔｅｒ  Ｐｏｒｔｒａｉｔサイズの印刷用紙に印刷されることもあり、Ｌｅｔｔｅｒ  Ｌａｎｄｓｃａｐｅサイズの印刷用紙に印刷されることもある。
【００２９】
もし、用紙サイズ指定部１１４がＸＨＴＭＬ−Ｐｒｉｎｔ印刷データを６＊４ｉｎｃｈ（Ｌａｎｄｓｃａｐｅ）サイズの印刷用紙に余白なしに印刷することを指定すれば、ＸＨＴＭＬ−Ｐｒｉｎｔ拡張データ生成部１３０は、＠ｐａｇｅ｛ｓｉｚｅ：６ｉｎ  ４ｉｎ；ｍａｒｇｉｎ：０ｉｎ；｝というＸＨＴＭＬ−Ｐｒｉｎｔ拡張データを生成する。
【００３０】
同様に、用紙サイズ指定部１１４がＸＨＴＭＬ−Ｐｒｉｎｔ印刷データをＡ４Ｐｏｒｔｒａｉｔサイズの印刷用紙に余白なしに印刷することを指定すれば、ＸＨＴＭＬ−Ｐｒｉｎｔ拡張データ生成部１３０は、＠ｐａｇｅ｛ｓｉｚｅ：Ａ４  ｐｏｒｔｒａｉｔ；ｍａｒｇｉｎ：０ｉｎ；｝というＸＨＴＭＬ−Ｐｒｉｎｔ拡張データを生成する。
【００３１】
これと同様に、用紙サイズ指定部１１４がＸＨＴＭＬ−Ｐｒｉｎｔ印刷データをＡ４Ｌａｎｄｓｃａｐｅサイズの印刷用紙に余白なしに印刷することを指定すれば、ＸＨＴＭＬ−Ｐｒｉｎｔ拡張データ生成部１３０は、＠ｐａｇｅ｛ｓｉｚｅ：Ａ４  ｌａｎｄｓｃａｐｅ；ｍａｒｇｉｎ：０ｉｎ；｝というＸＨＴＭＬ−Ｐｒｉｎｔ拡張データを生成する。
【００３２】
また、用紙サイズ指定部１１４がＸＨＴＭＬ−Ｐｒｉｎｔ印刷データをＬｅｔｔｅｒ  Ｐｏｒｔｒａｉｔサイズの印刷用紙に余白なしに印刷することを指定すれば、ＸＨＴＭＬ−Ｐｒｉｎｔ拡張データ生成部１３０は、＠ｐａｇｅ｛ｓｉｚｅ：ｌｅｔｔｅｒ  Ｐｏｒｔｒａｉｔ；ｍａｒｇｉｎ：０ｉｎ；｝というＸＨＴＭＬ−Ｐｒｉｎｔ拡張データを生成する。
【００３３】
これと同様に、用紙サイズ指定部１１４がＸＨＴＭＬ−Ｐｒｉｎｔ印刷データをＬｅｔｔｅｒ  Ｌａｎｄｓｃａｐｅサイズの印刷用紙に余白なしに印刷することを指定すれば、ＸＨＴＭＬ−Ｐｒｉｎｔ拡張データ生成部１３０は、＠ｐａｇｅ｛ｓｉｚｅ：ｌｅｔｔｅｒ  ｌａｎｄｓｃａｐｅ；ｍａｒｇｉｎ：０ｉｎ；｝というＸＨＴＭＬ−Ｐｒｉｎｔ拡張データを生成する。
【００３４】
但し、図２Ａに示したように、用紙サイズ指定部１１４は、ＸＨＴＭＬ−Ｐｒｉｎｔ印刷データを４＊６ｉｎｃｈ（Ｐｏｒｔｒａｉｔ）サイズの印刷用紙に印刷することを指定するので、ＸＨＴＭＬ−Ｐｒｉｎｔ拡張データ生成部１３０は、＠ｐａｇｅ｛ｓｉｚｅ：４ｉｎ  ６ｉｎ；ｍａｒｇｉｎ：０ｉｎ；｝というＸＨＴＭＬ−Ｐｒｉｎｔ拡張データを生成する。
【００３５】
ユーザインターフェース部１１６は、定型データ選択部１２０の指示を受けて、定型データ保存部１１８に保存された全てのＳＭＳデータを表示しうる。図２Ｂに示したように、ユーザインターフェース部１１６は、計６個のＳＭＳデータを表示する。
【００３６】
定型データ選択部１１８は、印刷しようとする一つ以上のＳＭＳデータを、その表示されたＳＭＳデータとして選択しうる。図２Ｂに示したように、定型データ選択部１１８は、その表示されたＳＭＳデータのうち２個のＳＭＳデータ（第１ＳＭＳデータ、第３ＳＭＳデータ）を選択する。
【００３７】
要素抽出部１２２は、その選択されたＳＭＳデータごとに、その選択されたＳＭＳデータを分析して、その選択されたＳＭＳデータに現れた一つ以上の要素を抽出する。この場合、ユーザインターフェース部１１６は、その抽出された要素を表示する。図２Ｃに示したように、第１ＳＭＳデータに現れた要素は、発信者（Ｆｒｏｍ）、受信者（Ｔｏ）、メッセージ内容（Ｍｅｓｓａｇｅ）、受信時刻（Ｔｉｍｅ）、重要度（Ｐｒｉｏｒｉｔｙ  Ｌｅｖｅｌ）、保安要求程度（Ｐｒｉｖａｃｙ  Ｌｅｖｅｌ）、累積された返信回数（Ｎｕｍｂｅｒ  ｆｏｒ  Ｒｅｐｌｙ）である。また、第３ＳＭＳデータに現れた要素は、発信者（Ｆｒｏｍ）、受信者（Ｔｏ）、メッセージ内容（Ｍｅｓｓａｇｅ）、累積された返信回数（Ｎｕｍｂｅｒ  ｆｏｒ  Ｒｅｐｌｙ）である。
【００３８】
一方、その抽出された要素のうち端末機がＸＨＴＭＬ−Ｐｒｉｎｔ印刷データとして生成不可能な要素は、選択不可能であることが望ましい。また、その選択不可能な要素は、図２Ｃで陰影処理されたように、他の要素と区別されるように表示されることが望ましい。例えば、累積された返信回数が、端末機がＸＨＴＭＬ−Ｐｒｉｎｔ印刷データとして生成できない要素ならば、累積された返信回数は、他の要素と区別されるように表示されることが望ましい。このような区別は、異なる色相によってなされることもあり、異なるフォントによってなされることもあり、異なるスタイルによってなされることもある。
【００３９】
要素選択部１２４は、その表示された要素のうち、ユーザが印刷しようとする一つ以上の要素を選択する。図２Ｄに示したように、ユーザが印刷しようとする一つ以上の要素は、発信者、受信者、メッセージ内容、受信時刻である。
【００４０】
一方、その抽出された要素は、ヘッダ要素とメッセージ要素とに区分される。ここで、メッセージ要素は、メッセージ内容を表す要素を意味し、ヘッダ要素は、メッセージ要素を除外した要素を意味する。すなわち、発信者、受信者、受信時刻は、ヘッダ要素の一例であり、メッセージ内容は、メッセージ要素である。下記の例示では、このようなそれぞれの要素の表示されるスタイルがデフォルトに設定されている。しかし、ユーザは、それぞれのスタイルをユーザが所望するスタイルに設定することもできる。このために、本発明によるＸＨＴＭＬ−Ｐｒｉｎｔ印刷データ設定部１１０には、スタイルデータベース（図示せず）、スタイル読み取り部（図示せず）、スタイル設定部（図示せず）が設けられる。この場合、スタイル読み取り部（図示せず）は、ユーザが所望するスタイルを入力され、その入力されたスタイルをスタイルデータベース（図示せず）から読み取ってスタイル設定部（図示せず）に提供する。それにより、スタイル設定部（図示せず）は、その提供されたスタイルによって要素のスタイルを設定する。
【００４１】
図２Ｅは、ＸＨＴＭＬ−Ｐｒｉｎｔ基本データ保存部１４０に保存されたＸＨＴＭＬ−Ｐｒｉｎｔ基本データを示し、図２Ｆは、ＸＨＴＭＬ−Ｐｒｉｎｔ拡張データが挿入されたＸＨＴＭＬ−Ｐｒｉｎｔ基本データのＸＨＴＭＬ−Ｐｒｉｎｔ印刷データを示す。
【００４２】
用紙サイズ指定部１１４で指定された内容を利用して生成されたＸＨＴＭＬ−Ｐｒｉｎｔ拡張データ、例えば、＠ｐａｇｅ｛ｓｉｚｅ：４ｉｎ  ６ｉｎ；ｍａｒｇｉｎ：０ｉｎ；｝は、図２Ｆに示したように、添字１が指示するように、そのＸＨＴＭＬ−Ｐｒｉｎｔ基本データに挿入される。
【００４３】
ＸＨＴＭＬ−Ｐｒｉｎｔ拡張データ生成部１３０は、要素選択部１２４が選択した要素及びその要素に対応したその区分されたデータを利用して、ＸＨＴＭＬ−Ｐｒｉｎｔ拡張データを生成する。このために、ＸＨＴＭＬ−Ｐｒｉｎｔ拡張データ生成部１３０は、要素選択部１２４が選択した要素のうち、メッセージ内容を除外した要素のそれぞれに、次のようなＸＨＴＭＬ−Ｐｒｉｎｔ拡張データを生成する。
【００４４】
＜ｔｒ＞
＜ｔｄ  ｃｌａｓｓ＝“ｔｄ１”＞
選択された要素
＜／ｔｄ＞
＜ｔｄ  ｃｌａｓｓ＝“ｔｄ２”＞
：
＜／ｔｄ＞
＜ｔｄ＞
その選択された要素に対応したデータ
＜／ｔｄ＞
＜／ｔｒ＞
【００４５】
このように生成されたＸＨＴＭＬ−Ｐｒｉｎｔ拡張データは、図２Ｆに示したように、添字２、３、４が指示するように、そのＸＨＴＭＬ−Ｐｒｉｎｔ基本データに挿入される。
【００４６】
また、ＸＨＴＭＬ−Ｐｒｉｎｔ拡張データ生成部１３０は、要素選択部１２４が選択した要素のうちメッセージ内容である場合、メッセージの行ごとにその行の終了を知らせる＜／ｂｒ＞を使用してＸＨＴＭＬ−Ｐｒｉｎｔ拡張データを生成する。このように生成されたＸＨＴＭＬ−Ｐｒｉｎｔ拡張データは、図２Ｆに示したように、添字５が指示するように、そのＸＨＴＭＬ−Ｐｒｉｎｔ基本データの＜ｄｉｖ  ｃｌａｓｓ＝“ＢｏｄｙＢｏｘ”＞と＜／ｄｉｖ＞との間に挿入される。
【００４７】
図２Ｇは、ＸＨＴＭＬ−Ｐｒｉｎｔ印刷データ生成部１１５０が生成したＸＨＴＭＬ−Ｐｒｉｎｔ印刷データを印刷した印刷物の一例を示す。図２Ｇに示したように、ＳＭＳデータが印刷されるサイズは、ＳＭＳデータの量によって可変的に決定され。すなわち、図２Ｆは、ＳＭＳデータが印刷されるサイズがＳＭＳデータの量によって可変的に決定されるＸＨＴＭＬ−Ｐｒｉｎｔデータを示す。
【００４８】
図２Ｈは、ＸＨＴＭＬ−Ｐｒｉｎｔ印刷データ生成部１１５０が生成したＸＨＴＭＬ−Ｐｒｉｎｔ印刷データを印刷した印刷物の他の例を示す。図２Ｈに示したように、ＳＭＳデータが印刷されるサイズは、ＳＭＳデータの量と関係なく決定されることもある。
【００４９】
このように、ＳＭＳデータの印刷されるサイズがＳＭＳデータの量と関係なく決定されるために、ＸＨＴＭＬ−Ｐｒｉｎｔ印刷データは、図２Ｉに示したように記述される。
【００５０】
図３Ａ〜図３Ｄは、定型データがＭＭＳデータである場合の本発明の実施形態によるＸＨＴＭＬ−Ｐｒｉｎｔ印刷データ生成原理を説明するための参照図である。さらに具体的に、図３Ａ及び図３Ｃは、ユーザが所望する印刷物を示す。図３Ｂは、ＭＭＳデータが印刷されるサイズが、図３Ａに示したように、ＭＭＳデータの量によって可変的に決定されるＸＨＴＭＬ−Ｐｒｉｎｔデータを示す。一方、図３Ｄは、ＭＭＳデータが印刷されるサイズが、図３Ｃに示したように、ＭＭＳデータの量に関係なく固定的に決定されるＸＨＴＭＬ−Ｐｒｉｎｔデータを表す。
【００５１】
定型データがＭＭＳデータである場合の本発明によるＸＨＴＭＬ−Ｐｒｉｎｔ印刷データ生成原理は、定型データがＳＭＳデータである場合の本発明によるＸＨＴＭＬ−Ｐｒｉｎｔ印刷データ生成原理と同じであるので、定型データがＭＭＳデータである場合の本発明によるＸＨＴＭＬ−Ｐｒｉｎｔ印刷データ生成原理は、図２Ａないし図２Ｉを参照し、開示された前記説明で代える。
【００５２】
図４は、本発明によるＸＨＴＭＬ−Ｐｒｉｎｔ印刷データの生成方法を説明するための本発明の一実施形態のフローチャートである。この方法は、印刷しようとする定型データの内容に相応するＸＨＴＭＬ−Ｐｒｉｎｔ拡張データの生成、および該生成されたＸＨＴＭＬ−Ｐｒｉｎｔ拡張データを予め設けられたＸＨＴＭＬ−Ｐｒｉｎｔ基本データに挿入することによる、ＸＨＴＭＬ−Ｐｒｉｎｔ印刷データの生成であるステップ４１０〜４３０からなる。
【００５３】
ＸＨＴＭＬ−Ｐｒｉｎｔ印刷データ設定部１１０は、印刷しようとする定型データごとに、その定型データの内容のうち、印刷する内容を決定する印刷関連オプションをステップ４１０で設定する。
【００５４】
ステップ４１０の後に、ＸＨＴＭＬ−Ｐｒｉｎｔ拡張データ生成部１３０は、ステップ４１０で設定された内容に相応するＸＨＴＭＬ−Ｐｒｉｎｔ拡張データをステップ４２０で生成する。
【００５５】
ステップ４２０の後に、ＸＨＴＭＬ−Ｐｒｉｎｔ印刷データ生成部１５０は、ステップ４２０で生成されたＸＨＴＭＬ−Ｐｒｉｎｔ拡張データを予め設けられたＸＨＴＭＬ−Ｐｒｉｎｔ基本データに挿入してＸＨＴＭＬ−Ｐｒｉｎｔ印刷データをステップ４３０で生成する。
【００５６】
図５は、図４に示されたステップ４１０に対する本発明の一実施形態（４１０Ａ）のフローチャートであって、印刷関連オプションを設定するステップ５１０〜５４０からなる。
【００５７】
ステップ５１０は、印刷しようとする定型データが印刷される印刷用紙のサイズを指定し、ステップ５２０は、予め設けられた一つ以上の定型データのうち、印刷しようとする一つ以上の定型データを選択する。
【００５８】
ステップ５３０は、ステップ５２０で選択された定型データから一つ以上の要素を抽出し、ステップ５４０は、ステップ５３０で抽出された要素のうち、印刷しようとする一つ以上の要素を選択して、ステップ４２０に進む。
【００５９】
本発明はまた、コンピュータで読み取り可能な記録媒体にコンピュータ可読コードとして具現できる。コンピュータで読み取り可能な記録媒体は、コンピュータシステムによって読み取られるデータが保存される全ての種類の記録装置を含む。コンピュータで読み取り可能な記録媒体の例としては、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＣＤ−ＲＯＭ、自分テープ、フロッピー（登録商標）ディスク、光データ保存装置があり、またキャリアウェーブ（例えば、インターネットを通じた伝送）の形態で具現されるものも含む。また、コンピュータで読み取り可能な記録媒体は、ネットワークに連結されたコンピュータシステムに分散され、分散方式でコンピュータ可読コードが保存され、かつ実行されうる。
【００６０】
以上、図面及び明細書で最適の実施例が開示された。ここで、特定の用語が使われたが、これは、単に本発明を説明するための目的で使われたものであり、意味限定や特許請求の範囲に記載された本発明の範囲を制限するために使われたものではない。したがって、当業者ならば、これから多様な変形及び均等な他の実施例が可能であるということが分かるであろう。したがって、本発明の真の技術的保護範囲は、特許請求の範囲の技術的思想によって決定されねばならない。
【図面の簡単な説明】
【００６１】
【図１】本発明によるＸＨＴＭＬ−Ｐｒｉｎｔ印刷データ生成装置を説明するためのブロック図である。
【図２Ａ】定型データがＳＭＳデータである場合の本発明によるＸＨＴＭＬ−Ｐｒｉｎｔ印刷データ生成原理を説明するための参照図である。
【図２Ｂ】定型データがＳＭＳデータである場合の本発明によるＸＨＴＭＬ−Ｐｒｉｎｔ印刷データ生成原理を説明するための参照図である。
【図２Ｃ】定型データがＳＭＳデータである場合の本発明によるＸＨＴＭＬ−Ｐｒｉｎｔ印刷データ生成原理を説明するための参照図である。
【図２Ｄ】定型データがＳＭＳデータである場合の本発明によるＸＨＴＭＬ−Ｐｒｉｎｔ印刷データ生成原理を説明するための参照図である。
【図２Ｅ】定型データがＳＭＳデータである場合の本発明によるＸＨＴＭＬ−Ｐｒｉｎｔ印刷データ生成原理を説明するための参照図である。
【図２Ｆ】定型データがＳＭＳデータである場合の本発明によるＸＨＴＭＬ−Ｐｒｉｎｔ印刷データ生成原理を説明するための参照図である。
【図２Ｇ】定型データがＳＭＳデータである場合の本発明によるＸＨＴＭＬ−Ｐｒｉｎｔ印刷データ生成原理を説明するための参照図である。
【図２Ｈ】定型データがＳＭＳデータである場合の本発明によるＸＨＴＭＬ−Ｐｒｉｎｔ印刷データ生成原理を説明するための参照図である。
【図２Ｉ】定型データがＳＭＳデータである場合の本発明によるＸＨＴＭＬ−Ｐｒｉｎｔ印刷データ生成原理を説明するための参照図である。
【図３Ａ】定型データがＭＭＳデータである場合の本発明によるＸＨＴＭＬ−Ｐｒｉｎｔ印刷データ生成原理を説明するための参照図である。
【図３Ｂ】定型データがＭＭＳデータである場合の本発明によるＸＨＴＭＬ−Ｐｒｉｎｔ印刷データ生成原理を説明するための参照図である。
【図３Ｃ】定型データがＭＭＳデータである場合の本発明によるＸＨＴＭＬ−Ｐｒｉｎｔ印刷データ生成原理を説明するための参照図である。
【図３Ｄ】定型データがＭＭＳデータである場合の本発明によるＸＨＴＭＬ−Ｐｒｉｎｔ印刷データ生成原理を説明するための参照図である。
【図４】本発明によるＸＨＴＭＬ−Ｐｒｉｎｔ印刷データの生成方法を説明するための一実施例を示すフローチャートである。
【図５】図４に示されたステップ４１０に対する本発明による望ましい一実施例を示すフローチャートである。
【図１】
2009533746.tif 000003
【図２Ａ】
2009533746.tif 000004
【図２Ｂ】
2009533746.tif 000005
【図２Ｃ】
2009533746.tif 000006
【図２Ｄ】
2009533746.tif 000007
【図２Ｅ】
2009533746.tif 000008
【図２Ｆ】
2009533746.tif 000009
【図２Ｇ】
2009533746.tif 000010
【図２Ｈ】
2009533746.tif 000011
【図２Ｉ】
2009533746.tif 000012
【図３Ａ】
2009533746.tif 000013
【図３Ｂ】
2009533746.tif 000014
【図３Ｃ】
2009533746.tif 000015
【図３Ｄ】
2009533746.tif 000016
【図４】
2009533746.tif 000017
【図５】
2009533746.tif 000018
【国際調査報告】
2009533746.tif 000019
2009533746.tif 000020